(57)【要約】      （修正有）【課題】屋外や、野外、又は緊急事態に、手軽に携帯して利用できる照明器具を提供する。【解決手段】スリーブ１と、ケーシング２と、光源アセンブリ３とを含み、スリーブに、ケーシングの方向に延在し且つケーシングの内部を通す第１の接続部１１が設けられ、第１の接続部は、光源アセンブリに固定接続し、スリーブとケーシングを接続させる。ケーシング、スリーブによって別々に放熱させることによって、熱が取り出しやすくなる。さらに、スリーブの他端に口金５にかしめ接続された第２の接続部１３が設けられ、第２の接続部に電池取付け溝が設けられ、照明器具の内部に電池８を取り付けると、配電網より給電しない場合に電池回路より給電できる。スリーブ、第２の接続部はプラスチック部材であるため、内部にアンテナ等の電子部品を配置する場合は、信号が遮蔽又は干渉されない。【選択図】図２
0003226751.tif 000002
【実用新案登録請求の範囲】
【請求項１】
スリーブと、ケーシングと、光源アセンブリとを含む照明器具において、前記スリーブに、前記ケーシングの方向に延在し且つ前記ケーシングの内部を通す第１の接続部が設けられ、前記第１の接続部は、前記光源アセンブリに固定接続し、前記スリーブと前記ケーシングを接続させるように構成されることを特徴とする照明器具。
【請求項２】
前記第１の接続部は、少なくとも２つの接続柱を含み、前記光源アセンブリは前記少なくとも２つの接続柱に固定されることを特徴とする請求項１に記載の照明器具。
【請求項３】
前記ケーシングは、プラスチック被覆のアルミニウム構造であり、前記ケーシングは、少なくともアルミニウム製の部分が前記光源アセンブリと互いに接触することを特徴とする請求項１に記載の照明器具。
【請求項４】
駆動アセンブリをさらに含み、前記駆動アセンブリの少なくとも一部は前記ケーシングに接触することを特徴とする請求項１に記載の照明器具。
【請求項５】
駆動アセンブリをさらに含み、前記駆動アセンブリは、前記スリーブの内部に設けられた係止溝によって前記照明器具の内部に取り付けられることを特徴とする請求項１に記載の照明器具。
【請求項６】
口金をさらに含み、前記スリーブに、前記口金に対して延在し且つ前記口金にかしめ接続された第２の接続部が設けられることを特徴とする請求項１に記載の照明器具。
【請求項７】
前記スリーブ、前記第１の接続部及び前記第２の接続部は、一体成形されたプラスチック部材であることを特徴とする請求項６に記載の照明器具。
【請求項８】
前記スリーブと前記第２の接続部が接続した箇所に放熱孔が設けられることを特徴とする請求項６に記載の照明器具。
【請求項９】
前記スリーブ及び前記第２の接続部の内部に電池を取り付けるための取付け溝が設けられることを特徴とする請求項６に記載の照明器具。
【請求項１０】
前記スリーブ及び前記第２の接続部の内部にセンサ、無線通信モジュール又はアンテナが設けられることを特徴とする請求項６に記載の照明器具。
【請求項１１】
前記ケーシングと前記スリーブが接続した箇所に環状のカラーが設けられることを特徴とする請求項１に記載の照明器具。
【請求項１２】
ホルダと、スペーサーとをさらに含み、前記スペーサーは前記口金に取り付けられ、前記ホルダ内の底部に板ばねが設けられ、前記板ばねは、電池を用いて給電する場合に前記口金と前記スペーサーを電気的に接続させるように構成されることを特徴とする請求項６に記載の照明器具。
【請求項１３】
前記ホルダは、吊り紐、フック、及び／又は磁石をさらに含み、前記ホルダの底面は平面であり、前記吊り紐は前記ホルダの底部に接続され、前記フックは前記吊り紐に接続され、前記磁石は前記フックに設けられることを特徴とする請求項１２に記載の照明器具。
【考案の詳細な説明】
【技術分野】
【０００１】
本考案は、照明製品の分野に関し、より詳しく言えば、照明器具に関する。
【背景技術】
【０００２】
ＬＥＤランプは、１種の新たな照明器具であり、省エネルギーで、環境に配慮された等の特徴があることから、従来の白熱電球に取って代わり、最も一般的で幅広く利用される照明製品として市場に定着している。従来のＬＥＤランプは、商用電源に接続して固定光源としてしか使用できないのがほとんどであるため、適用の場面は制限されている。しかも、ＬＥＤランプは屋外や、野外又は緊急事態に使用したい場合、手軽に携帯して利用できないため、その幅広い使用と普及は制限されている。
【０００３】
また、従来のＬＥＤランプにおいて、放熱部品は一体的に構成されるのがほとんどで、上部と下部に生じた熱を隔離できいため、ＬＥＤランプの全ての部分に生じた熱が１つの方向から取り出される。放熱部品には、放熱効果に優れたプラスチック被覆のアルミニウム構造を採用するのがほとんどである。セパレート形式の放熱を採用する場合、照明器具の内部に他に構造部材を設けて、固定又は断熱する必要があるため、照明器具の構造が極めて複雑になる。
【考案の概要】
【考案が解決しようとする課題】
【０００４】
本考案は、ＬＥＤランプの適用場面は制限されており、上部と下部を２つの部分として隔離して放熱させることが難しい等の上述した課題を解決しようとする。
【課題を解決するための手段】
【０００５】
本考案は、スリーブと、ケーシングと、光源アセンブリとを含む照明器具を提供する。スリーブに、ケーシングの方向に延在し且つケーシングの内部を通す第１の接続部が設けられ、第１の接続部は、光源アセンブリに固定接続し、スリーブとケーシングを接続させるように構成される。
【０００６】
好ましくは、第１の接続部は、少なくとも２つの接続柱を含み、光源アセンブリは、少なくとも２つの接続柱に固定される。少なくとも２つの接続柱によって光源アセンブリを固定することによって、内部に他に構造部材を追加することで取付け及び放熱に影響を与える状況を緩和できる。
【０００７】
好ましくは、ケーシングはプラスチック被覆のアルミニウム構造であり、ケーシングは、少なくともアルミニウム製の部分が光源アセンブリと互いに接触する。ケーシングのプラスチック被覆のアルミニウム構造は、光源アセンブリに対して優れた放熱効果を果たすことができる。
【０００８】
好ましくは、駆動アセンブリをさらに含み、駆動アセンブリの少なくとも一部はケーシングに接触する。さらに、駆動アセンブリは、ケーシングに接触して接続することで放熱できる。
【０００９】
好ましくは、駆動アセンブリをさらに含み、駆動アセンブリは、スリーブの内部に設けられた係止溝によって照明器具の内部に取り付けられる。駆動アセンブリは、スリーブの係止溝に取り付けられているため、熱をスリーブに伝達して放熱できる。
【００１０】
好ましくは、口金をさらに含み、スリーブに、口金に対して延在し且つ口金にかしめ接続された第２の接続部が設けられる。第２の接続部は、スリーブを口金に固定接続させることによって、取付け及び使用しやすくなる。
【００１１】
好ましくは、スリーブ、第１の接続部及び第２の接続部は一体成形されたプラスチック部材である。これによって、成形プロセスがよりシンプルになり、しかもプラスチック部材であるため、電子部品に信号が遮蔽及び干渉されることはない。
【００１２】
好ましくは、スリーブと第２の接続部が接続した箇所に放熱孔が設けられる。スリーブと第２の接続部が接続した箇所の放熱孔を介して、スリーブ及び第２の接続部の内部に取り付けられた電池又は電子部品に生じた熱を外部に伝達できる。
【００１３】
好ましくは、スリーブ及び第２の接続部の内部に電池を取り付けるための取付け溝が設けられる。電池を取付け溝に取り付けると、照明器具は電池より給電できるため、様々な場面に使用できる。
【００１４】
好ましくは、スリーブ及び第２の接続部の内部にセンサ、無線通信モジュール又はアンテナが設けられる。スリーブ、第２の接続部はプラスチック製であり、これによってセンサ、無線通信モジュール又はアンテナに電磁干渉を与えることはない。
【００１５】
好ましくは、ケーシングとスリーブが接続した箇所に環状のカラーが設けられる。環状のカラーは、装飾及び防水の役割を果たす。
【００１６】
好ましくは、ホルダと、スペーサーとをさらに含み、スペーサーは口金に取り付けられ、ホルダ内の底部に板ばねが設けられ、板ばねは電池を用いて給電する場合に口金とスペーサーを電気的に接続させるように構成される。板ばねを設けることによって、電池給電及び配電網給電の２種の給電方式を効果的に実現して、様々な場面の使用上のニーズを満たす。
【００１７】
好ましくは、ホルダは吊り紐、フック及び／又は磁石をさらに含み、ホルダの底面は平面であり、吊り紐はホルダの底部に接続され、フックは吊り紐に接続され、磁石はフックに設けられる。ホルダによって４種の形態で使用できる。平坦な場所に設置してもよいし、フック、吊り紐又は磁石を介して物体に掛着されてもよいため、携帯しやすく、多目的に使用できる効果がある。
【考案の効果】
【００１８】
本考案に係る照明器具は、スリーブと、ケーシングと、光源アセンブリとを含み、スリーブに、ケーシングの方向に延在し且つケーシングの内部を通す第１の接続部が設けられ、第１の接続部は、光源アセンブリに固定接続し、スリーブとケーシングを接続させるように構成される。ケーシング、スリーブによって別々に放熱させることによって、照明器具の上部と下部に生じた熱を隔離でき、熱が取り出しやすくなる。さらに、スリーブ及び第２の接続部はプラスチック部材であるため、内部にアンテナ等の電子部品を配置する場合は、信号が遮蔽又は干渉されることはない。また、照明器具の内部に電池を取り付けることによって、配電網より給電しない場合は電池回路を用いて給電できる。さらに、４種の使用形態を統合している多目的なポータブル式のホルダを採用しているため、様々な場面に使用して、様々な場面におけるニーズを満たすことができる。
【図面の簡単な説明】
【００１９】
添付された図面は実施例に対する理解が深まるために提供され、当該図面は本明細書の一部して組み込まれる。図面には、関連の説明と結び付けて本考案の原理を説明するように、実施例が示されている。なお、他にも実施例があり、これらの実施例に多くの利点が期待されることは、以下の詳細な説明を参照すれば理解される。図面に示す要素は、必ずしも互いの寸法比率に従って描画されるわけではない。図面に同じ符号が記載された場合は、対応の類似する部材を指す。
【図１】図１は、本考案の実施例に係る照明器具の断面図である。
【図２】図２は、本考案の実施例に係る照明器具の分解図である。
【図３】図３は、本考案の実施例に係るスリーブの概略図である。
【図４】図４は、本考案の実施例に係るホルダの概略図である。
【考案を実施するための形態】
【００２０】
次に、本考案の目的、技術的解決手段及び利点がより明瞭になるよう、図面と結び付けて本考案を一層詳細に説明する。当然ながら、記載される実施例は、本考案の一部の実施例に過ぎず、全ての実施例ではない。当業者が本考案の実施例に基づいて進歩性のある作業をすることなく得ている他の実施例は、いずれも本考案の保護範囲に含まれる。
【００２１】
以下の詳細な説明は、図面を参照して記載される。これらの図面は、詳細な説明の一部を構成し、且つ、本考案を実施できる例示的で且つ具体的な実施例に示される。また、「頂」、「底」、「左」、「右」、「上」、「下」等の方向を表す用語は、記載された図面の方向を参照して使用される。実施例の構成要素は、複数の異なる方向に配置できるため、方向を表す用語は、限定の目的ではなく、例示の目的で使用される。なお、本考案の範囲から逸脱しない限り、他の実施例を用いてもよいし、又は論理的に変更を加えてもよい。したがって、以下の詳細な説明は限定の目的に理解されるのではなく、本考案の範囲は添付の各請求項によって限定される。
【００２２】
本考案は、従来のＬＥＤランプは、屋外又は他の場面に設置して使用できず、適用の範囲が狭いことに鑑みてなされるものであって、照明器具を提供する。図１示すように、当該照明器具は、スリーブ１と、ケーシング２と、光源アセンブリ３と、駆動アセンブリ４と、口金５と、スペーサー６とを含む。図２に示すように、スリーブ１の一端に、ケーシング２の方向に沿在し且つケーシング２の内部を通す第１の接続部１１が設けられ、第１の接続部１１は、光源アセンブリ３に固定接続し、スリーブ１とケーシング２を接続させるように構成される。
【００２３】
具体的には、実施例１において、第１の接続部１１は少なくとも２つの接続柱１１１を含み、光源アセンブリ３は少なくとも２つの接続柱１１１に固定される。好ましい実施例において、第１の接続部１１は２つの接続柱１１１を含む。最初に、ケーシング２をスリーブ１に取り付け、光源アセンブリ３をケーシング２に取り付け、次に、２つの接続柱１１１、光源アセンブリ３のそれぞれを２本のねじ７で固定する。これによって、接続柱１１１と光源アセンブリ３を接続させることによって、ケーシング２とスリーブ１を容易に接続でき、他に構造部材を追加して光源アセンブリ３を固定接続する必要がなく、駆動アセンブリ４及び電池８が固定しやすくもなる。構造の簡素化が図れるとともに、ケーシング２がプラスチック被覆のアルミニウム構造であるため、ケーシング２の少なくともアルミニウム製の部分は光源アセンブリ３と互いに接触する。これによって、光源アセンブリ３に対して優れた放熱効果を果たすことができる。他の好ましい実施例において、他の接続構造を選択して、スリーブ１と光源アセンブリ３を接続固定する役割を果たすこともできる。
【００２４】
具体的には、実施例２において、駆動アセンブリ４の少なくとも一部はケーシング２に接触する。ケーシング２のプラスチック被覆のアルミニウム構造は、駆動アセンブリ４の熱に対して効果的に伝導できるため、駆動アセンブリ４を効果的に放熱させることができる。
【００２５】
具体的には、実施例３において、図２に示すように、駆動アセンブリ４は、スリーブ１の内部に設けられた係止溝１２によって、照明器具の内部に取り付けられる。具体的には、駆動アセンブリ４と光源アセンブリ３が電気的に接続した後、駆動アセンブリ４をスリーブ１の接続柱１１１の近くに設けられた係止溝１２に縦設することによって、接触の方式で速やかに熱をスリーブ１に伝達して放熱させることができる。他の好ましい実施例において、熱伝導性の接着剤等の他の方式を採用して、スリーブ１に固定して接触接続させることもできる。ケーシング２、スリーブ１及び第１の接続部１１によって形成された内部空間によって、駆動アセンブリ４が取付け及び放熱しやすくなるため、プロセス的にも構造的にも一層シンプルになる。
【００２６】
具体的には、実施例４において、スリーブ１の他端に、口金５に対して延在し且つ口金５にかしめ接続された第２の接続部１３が設けられる。好ましい実施例において、第２の接続部１３は、ねじ構造を設けて口金５の内部にかしめ接続させることによって、スリーブ１と口金５を固定接続させ、口金５が取付け及び使用しやすくなる。他の好ましい実施例において、接着剤等の他の方式を採用して、第２の接続部１３及び口金５を固定することもできる。また、スペーサー６は口金５に取り付けられ、駆動アセンブリ４における２つの電源コードは口金５、スペーサー６にそれぞれ接続されるため、配電網より給電する方式を採用して照明器具に給電できる。好ましい実施例において、スリーブ１、第１の接続部１１及び第２の接続部１３は、一体成形されたプラスチック部材である。プラスチック部材は、同じく優れた放熱効果を有し、しかも成形プロセスがよりシンプルであるため、射出成形プロセスを採用できる。さらに、プラスチック部材は、電子部品に信号が遮蔽又は干渉されることがないよう確保する。
【００２７】
具体的には、実施例５において、図３に示すように、スリーブ１と第２の接続部１３が接続した箇所に放熱孔１４が設けられる。放熱孔１４の数量は状況に応じて、具体的に設定でき、１つ以上の放熱孔１４を設けることができる。放熱孔１４を介して、スリーブ１及び第２の接続部１３の内部に取り付けられた電池又は電子部品に生じた熱を外部に伝達して、放熱効果を向上させることができる。ケーシング２、スリーブ１によって別々に放熱させることによって、ケーシング２、スリーブ１の２つの部分に生じた熱を隔離でき、熱が取り出しやすくなり、構造が一層シンプルになる。
【００２８】
具体的には、実施例６において、スリーブ１、第２の接続部１３の内部に電池８を取り付けるための取付け溝１５が設けられる。これによって、電池８を取付け溝１５に取り付けることができ、電池８の正極と負極を駆動アセンブリ４のリード線にそれぞれ接続させることによって、照明器具は電池８より給電できる。例えば、屋外又は配電網が動作しない場合など、様々な場面に使用できる。好ましい実施例において、スリーブ１、第２の接続部１３の内部にセンサ、無線通信モジュール又はアンテナ等の電子部品が設けられてもよい。スリーブ１、第２の接続部１３がプラスチック製であるため、センサ、無線通信モジュール又はアンテナに電磁干渉を与えることはなく、信号がより速やかに、正確に伝送される。さらに、アンテナ等を照明器具の内部に配置することによって、光学的要件も外観の要件も満たしやすい。ケーシング２、スリーブ１が別々となる構造によって、電池８の取付け又は交換がしやすくもなる。
【００２９】
図２に示すように、ケーシング２とスリーブ１が接続した箇所に環状のカラー９が設けられる。環状のカラー９は、装飾及び防水の役割を果たすことができる。
【００３０】
具体的には、実施例７において、図４に示すように、照明器具はホルダ１０をさらに含む。ホルダ１０内の底部に板ばね１０１が設けられ、板ばね１０１は電池８を用いて給電する場合に、口金５とスペーサー６を電気的に接続させるように構成される。配電網より給電する場合は、ホルダ１０と口金５を分離して、口金５は配電網に直接接続される。また配電網より給電しない場合は、雌ねじ、雄ねじによってホルダ１０を口金５に締め付けることによって、ホルダ１０の底部の板ばね１０１は口金５及びスペーサー６に接触して接続される。この時、照明器具は内部の電池８より給電できる。したがって、板ばね１０１を設けるによって、電池８による給電及び配電網給電の２種の給電方式を効果的に実現でき、様々な場面の使用上の要件を満たす。好ましい実施例において、ホルダ１０の底面は、平坦な場所に設置しやすいように、平面に構成されてもよい。図２に示すように、ホルダ１０は、吊り紐１０２、フック１０３、及び／又は磁石１０４をさらに含み、吊り紐１０２はホルダ１０の底部に接続され、フック１０３は吊り紐１０２に接続され、フック１０３によって係止しやすい場所に設けることができ、吊り紐１０２によって掛着しやすい場所に設けることができ、磁石１０４はフック１０３に設けられ、磁石１０４が直接含鉄又は含ニッケルの物体に吸着できる。したがって、ホルダ１０は様々目的で使用でき、平坦な場所に設置してもよいし、フック１０３、吊り紐１０２又は磁石１０４によって物体に掛着してもよく、携帯しやすく多目的に使用できるという効果がある。実際のニーズに応じて、フック１０３、吊り紐１０２又は磁石１０４の少なくとも１種の方式を選択して、ユーザの様々な使用上のニーズを満たすことができる。他の好ましい実施例において、適用の場面に応じて、他の適切な付属部材を具体的に選択して使用してもよい。
【００３１】
本考案は、スリーブ１と、ケーシング２と、光源アセンブリ３とを含む照明器具を提供する。スリーブ１に、ケーシング２の方向に沿在し且つケーシング２の内部を通す第１の接続部１１が設けられ、第１の接続部１１は、光源アセンブリ３に固定接続し且つスリーブ１とケーシング２を接続させるように構成される。ケーシング２、スリーブ１によって別々に放熱させることによって、照明器具の上部と下部に生じた熱を隔離でき、熱が取り出しやすくなる。さらに、電池８を取り付けるための第２の接続部１３が設けられ、スリーブ１、第２の接続部１３はいずれもプラスチック部材であるため、内部にアンテナ等の電子部品を配置する場合は、信号が遮蔽又は干渉されることを回避できる。また、照明器具の内部に電池８を取り付けることによって、配電網より給電しない場合に電池８の回路より給電できる。さらに、４種の使用形態を統合している多目的なポータブル式のホルダ１０を採用しているため、様々な場面に使用して、様々な場面におけるニーズを満たすことができる。大規模な普及と適用が可能であり、ＬＥＤランプの使用範囲がより一層拡大する。
【００３２】
以上の内容において、本願の実施形態を具体的に説明しているが、これによって本願の保護範囲が限定されるものではない。当業者が本願に開示されている技術の範囲内に容易に想到し得る変更又は差し替えは、いずれも本願の保護範囲に含まれる。したがって、本願の保護範囲は、登録請求の範囲に準拠する。
【００３３】
本願の説明において、方法に係る請求項において各ステップが特定の順番に記載されているが、これらのステップは必ずしも記載された順番で実施されるわけでなく、本考案の趣旨から逸脱しない限り、これとは逆の順番に又は複数のステップが同時に実行されてもよい。用語「含む」は、登録請求の範囲に挙げられていない要素又はステップの存在を排除するものではない。要素の前につけた「１つ」又は「一つ」の用語は、当該要素が複数存在する場合を排除するものではない。いくつかの事項がそれぞれ異なる請求項に属するように記載されているが、これらの事項の組み合わせは改善案として使用できないということは示唆されない。登録請求の範囲に記載の符号は、いずれも範囲を限定するためと解釈されるべきではない。
【図１】
0003226751.tif 000003
【図２】
0003226751.tif 000004
【図３】
0003226751.tif 000005
【図４】
0003226751.tif 000006